(57)【要約】【課題】  電気機器収納箱において、遮蔽板の製作工数を削減し、遮蔽板の発錆、変形を防止する。【解決手段】  電気機器を収納する本体箱２の外側に遮蔽板３を取り付けた電気機器収納箱において、遮蔽板３の相対向する二辺に取付脚８をＬ字形に折曲形成する。取付脚８に遮蔽板３と本体箱２との間隔を保持する間隔保持部８ａと、本体箱２の外面に接合する接合部８ｂとを設ける。接合部８ｂにスタッドボルト１０の基端を溶接し、スタッドボルト１０の先端を本体箱２の取付孔１１に挿入してナット１２で締め付ける。【選択図】        図２
2007150067.tif 000002
【特許請求の範囲】
【請求項１】
電気機器を収納する本体箱の外側に遮蔽板を取り付けた電気機器収納箱において、遮蔽板の相対向する二辺に取付脚を折曲形成し、取付脚に遮蔽板と本体箱との間隔を保持する間隔保持部と、本体箱の外面に接合する接合部とを設け、接合部にボルトの基端を溶接し、ボルトの先端を本体箱の取付孔に挿入してナットで締め付けたことを特徴とする遮蔽板取付構造。
【発明の詳細な説明】
【技術分野】
【０００１】
本発明は、遮蔽板を備えた電気機器収納箱において、遮蔽板を本体箱に取り付けるための構造に関する。
【背景技術】
【０００２】
従来、図４、図５に示すような技術が知られている。この電気機器収納箱５０は、本体箱５１の側面を遮蔽板５２で覆い、収納箱５０の側壁部分を二重構造にして、太陽光による本体箱５１内部の温度上昇を防ぐように構成されている。本体箱５１の上端部には左右一対の掛止金具５３が溶接され、遮蔽板５２に上下一対の取付板５４が溶接されている。取付板５４は左右に長いハット形に折曲形成され、両端の接合部５５にて遮蔽板５２の内面に溶接されている。そして、上側の取付板５４を掛止金具５３に引っ掛け、上下の取付板５４をネジ５６で本体箱５１に締め付けることにより、遮蔽板５２が本体箱５１に取り付けられている。
【０００３】
特許文献１には、遮蔽板の内面に四本のボススタッドを溶接し、ボススタッドの先端に突設したボルトを本体箱の取付孔に挿入してナットで締め付け、ボススタッドの長さに相当する間隔をあけて遮蔽板を本体箱に取り付ける構造が記載されている。
【特許文献１】特許第３３２７５２８号公報
【発明の開示】
【発明が解決しようとする課題】
【０００４】
ところが、図４、図５に示す従来の取付構造によると、取付板５４を遮蔽板５２とは別個に板金加工する必要があり、遮蔽板５２の製作工数が増える問題点があった。また、遮蔽板５２に取付板５４を溶接しているため、左右の接合部５５の部分で遮蔽板５２に塗料が付かなくなり、特に、屋外設置型の収納箱５０の場合に、錆が発生しやすいという不都合もあった。特許文献１の取付構造によると、ボススタッドが遮蔽板の四隅より中心寄りの位置に設けられているので、遮蔽板の周辺部が本体箱から開き、この部分が変形しやすくなるという問題点があった。
【０００５】
本発明の目的は、上記課題を解決し、遮蔽板を少ない工数で製作できるとともに、遮蔽板の発錆並びに変形を防止することができる電気機器収納箱の遮蔽板取付構造を提供することにある。
【課題を解決するための手段】
【０００６】
上記の課題を解決するために、本発明の遮蔽板取付構造は、電気機器を収納する本体箱の外側に遮蔽板を取り付けた電気機器収納箱において、遮蔽板の相対向する二辺に取付脚を折曲形成し、取付脚に遮蔽板と本体箱との間隔を保持する間隔保持部と、本体箱の外面に接合する接合部とを設け、接合部にボルトの基端を溶接し、ボルトの先端を本体箱の取付孔に挿入してナットで締め付けたことを特徴とする。
【０００７】
上記遮蔽板取付構造において、好ましくは、以下の手段を採用することができる。
（１）取付脚を遮蔽板の相対向する二辺の全長にわたって延びるように形成すること。
（２）取付脚をＬ字形に折り曲げること。
（３）ボルトを取付脚の接合部において両端部を含む複数箇所に立設すること。
（４）取付脚を遮蔽板の上下二辺に形成すること。
（２）取付脚を遮蔽板の左右二辺に形成すること。
【発明の効果】
【０００８】
本発明の遮蔽板取付構造によれば、遮蔽板の板金工程で取付脚を同時に加工でき、遮蔽板の製作工数が削減される。また、取付脚にボルトを溶接した後に遮蔽板を余す所なく塗装できて、錆が発生しにくくなる。しかも、取付脚の接合部が遮蔽板の二辺を本体箱に密接させるので、接合部をボルトとナットで本体箱に締め付けることにより、四隅を本体箱に強固に固定して、遮蔽板の変形を確実に防止できるという優れた効果を奏する。
【発明を実施するための最良の形態】
【０００９】
以下、本発明の実施形態を図面に基づいて説明する。図１は屋外設置型の電気機器収納箱の全体的な構成を示す。この電気機器収納箱１は、通信機器等の電気機器を収納する本体箱２と、本体箱２の側面を覆う左右二枚の遮蔽板３と、本体箱２の上面を覆う天板４と、本体箱２の前面を覆う扉５とから構成されている。本体箱２の左右両側面には、内部機器の発熱を外部に放出するためのフード形のルーバー６が突設されている。そして、収納箱１の側壁部分と上壁部分とを二重構造にして、太陽光による本体箱２内部の温度上昇を抑制し、内部機器を高温から保護できるように構成されている。
【００１０】
図２、図３は遮蔽板３を本体箱２に取り付けるための構造を示す。遮蔽板３は金属板により四角形に板金成形されている。遮蔽板３の上下二辺には取付脚８が、遮蔽板３の左右二辺にはリブ９がそれぞれ板金加工によって本体箱２側へ折り曲げられている。上下の取付脚８は、遮蔽板３を本体箱２に取り付けるための取付部であって、遮蔽板３の全幅にわたってＬ字形に形成されている。左右のリブ９は、遮蔽板３を補強するための補強部であって、本体箱２との間に所要の通気用間隙を確保できる幅で、遮蔽板３のほぼ全高にわたって直角に折り曲げられている。
【００１１】
取付脚８の基端には、遮蔽板３と本体箱２との間隔を保持する間隔保持部８ａが設けられ、その突出長さがルーバー６の高さよりも僅かに大きく設定されている。取付脚８の先端には、本体箱２の外側面に接合する接合部８ｂが設けられ、接合部８ｂの左右両端部にスタッドボルト１０が基端にて溶接されている。そして、スタッドボルト１０の先端を本体箱２に形成した取付孔１１に挿入して、本体箱２の内側からナット１２で締め付けることにより、遮蔽板３が本体箱２に取り付けられている。なお、スタッドボルト１０には取付孔１１を本体箱２の内外から密閉するパッキン１３が設けられている。
【００１２】
従って、この実施形態の遮蔽板取付構造によれば、次のような効果が得られる。
（ａ）遮蔽板３を板金加工する工程において、取付脚８を同時に折曲形成できて、遮蔽板３の製作工数を削減することができる。
（ｂ）取付脚８にスタッドボルト１０を溶接した後に、遮蔽板３の表裏全域を余す所なく塗装でき、使用に際して錆が発生しにくくなる。
（ｃ）取付脚８の接合部８ｂが遮蔽板３の上下二辺を全幅にわたって本体箱２に密接させるので、接合部８ｂの左右両端部をスタッドボルト１０とナット１２で本体箱２に締め付けることにより、遮蔽板３の四隅を本体箱２に強固に固定して、遮蔽板３の変形を確実に防止することができる。
【００１３】
なお、本発明は前記実施例に限定されるものではなく、以下に例示するように、発明の趣旨を逸脱しない範囲で各部の構成や形状を適宜変更して実施することも可能である。
（１）図２において、遮蔽板３の左右二辺に取付脚８を折曲形成し、遮蔽板３の上下二辺にリブ９を設けること。
（２）図２において、遮蔽板３の四辺にそれぞれ取付脚８を折曲形成すること。
（３）図２において、スタッドボルト１０を取付脚８の接合部８ｂに三本又は四本立設すること。
（４）図１において、電気機器収納箱１の頂部で遮蔽板として機能する天板４を遮蔽板３と同様の取付構造で本体箱２に取り付けること。
【図面の簡単な説明】
【００１４】
【図１】本発明の一実施形態を示す電気機器収納箱の正面図である。
【図２】図１の収納箱において遮蔽板の取付構造を示す斜視図である。
【図３】図２の取付構造を部分的に示す断面図である。
【図４】従来の遮蔽板取付構造を示す斜視図である。
【図５】図４の取付構造を部分的に示す断面図である。
【符号の説明】
【００１５】
１    電気機器収納箱
２    本体箱
３    遮蔽板
８    取付脚
８ａ    間隔保持部
８ｂ    接合部
１０    スタッドボルト
１１    取付孔
１２    ナット
【図１】
2007150067.tif 000003
【図２】
2007150067.tif 000004
【図３】
2007150067.tif 000005
【図４】
2007150067.tif 000006
【図５】
2007150067.tif 000007